【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
誘導電力転送システムにおいて誘導電力転送を制御する方法であって，
前記システムは，タンク回路及びスイッチング回路を備え，電磁界を発生することができる１次ユニットと，該１次ユニットとは別の少なくとも一つの２次ユニットであって，該２次ユニットが前記１次ユニットの近傍にあるとき，前記電磁界と結合して，前記１次ユニットと前記２次ユニットとの間の直接導電性接触なしに，前記１次ユニットから電力を受電するようになっている２次ユニットとを含み，前記方法は，
前記１次ユニットにおける入力電力の特性を測定するステップと，
前記１次ユニットの前記タンク回路における電力の特性を測定するステップと，
前記１次ユニットにおいて前記少なくとも一つの２次ユニットから情報を受信するステップと，
少なくとも前記１次ユニットの前記タンク回路における電力の前記測定された特性によって，前記誘導電力転送システムにおける電力消費を推定するステップと，
前記１次ユニットの近傍に許容できない量の寄生金属があることを判定するために，前記１次ユニットにおける入力電力の前記測定された特性と，前記少なくとも一つの２次ユニットからの前記情報と，前記推定された電力消費とを比較するステップと，
前記１次ユニットの近傍に前記許容できない量の寄生金属があることが判定されたことに応答して，前記１次ユニットからの前記誘導電力転送を制限又は停止するステップと，
を有する方法。
【請求項２】
前記電力消費を推定するステップは，前記誘導電力転送システムにおける電力損失を推定するステップ，前記２次ユニットの負荷が利用する電力を推定するステップ，又はそれらの組合せ，のうち少なくとも一つを含む，請求項１に記載の方法。
【請求項３】
前記電力消費を推定するステップは，前記１次ユニットの前記タンク回路における電力の前記測定された特性と，前記２次ユニットからの前記情報とによって，前記誘導電力転送システムにおける電力損失を推定するステップを含む，請求項１に記載の方法。
【請求項４】
前記スイッチング回路は，動作中に種々の異なる動作周波数間を変化する動作周波数で動作し，前記電力消費を推定するステップは，前記１次ユニットの前記タンク回路における電力の前記測定された特性と，前記２次ユニットからの前記情報と，前記スイッチング回路の前記動作周波数とによって，前記誘導電力転送システムにおける電力損失を推定するステップを含む，請求項１に記載の方法。
【請求項５】
前記電力消費を推定するステップは，
１次ユニットヒステリシス電力損失を推定するステップと，
１次ユニット渦電流電力損失を推定するステップと，
１次ユニット電圧電力損失を推定するステップと，
１次ユニット抵抗電力損失を推定するステップと，
２次ユニット電力消費を推定するステップと，
を含む，請求項１に記載の方法。
【請求項６】
前記２次ユニット電力消費を推定するステップは，
２次ユニット渦電流電力損失を推定するステップと，
２次ユニット電圧電力損失を推定するステップと，
２次ユニット抵抗電力損失を推定するステップと，
を含む，請求項５に記載の方法。
【請求項７】
２次ユニット電力損失を推定するステップは，
２次ユニット渦電流電力損失を推定するステップと，
前記１次ユニットの前記タンク回路における電力の前記測定された特性によって，２次ユニットヒステリシスを推定するステップと，
を含む，請求項５に記載の方法。
【請求項８】
前記少なくとも一つの２次ユニットからの前記情報は，２次ユニットＩＤ，前記２次ユニットにおける電力の特性の測定値，前記２次ユニットにおける電力損失の推定値，１又は複数の電力損失係数，又はそれらの組合せを含む，請求項１に記載の方法。
【請求項９】
前記少なくとも一つの２次ユニットからの前記情報は，前記１次ユニットにおける入力電力の前記測定された特性と，前記少なくとも一つの２次ユニットからの前記情報と，前記推定された電力消費とを同期させる同期情報を含む，請求項１に記載の方法。
【請求項１０】
前記入力電力の特性は，前記スイッチング回路及び前記タンク回路の前の，前記１次ユニットにおける電流又は電圧を含む，請求項１に記載の方法。
【請求項１１】
前記タンク回路における電力の前記特性は，前記タンク回路における電流又は電圧を含む，請求項１に記載の方法。
【請求項１２】
前記１次ユニットの近傍に許容できない量の寄生金属があることを判定するために，前記１次ユニットにおける入力電力の前記測定された特性と，前記少なくとも一つの２次ユニットからの前記情報と，前記推定された電力消費とを比較する前記ステップは，
前記１次ユニットにおける入力電力の前記特性と，前記少なくとも一つの２次ユニットからの前記情報とに基づいて合計電力消費を計算するステップと，
前記計算された合計電力消費と，前記推定された電力消費との差を検出することによって，前記１次ユニットの近傍に異物があると判定するステップと，
を含む，請求項１に記載の方法。
【請求項１３】
前記計算された合計電力消費と，前記推定された電力消費との差がしきい値を超えたとき，前記１次ユニットの近傍に許容できない量の寄生金属があると判定するステップを含む請求項１２に記載の方法。
【請求項１４】
前記１次ユニットに対して複数の異なる位置に前記２次ユニットを配置するステップと，
位置ごとに，前記２次ユニットの等価直列抵抗値を測定するステップと，
前記２次ユニットの前記等価直列抵抗値に基づいて，２次ユニット渦電流電力損失を推定するための渦電流電力損失係数を決定するステップと，
を含む請求項１に記載の方法。
【請求項１５】
前記１次ユニットに対して複数の異なる位置に前記２次ユニットを配置し，複数の異なる動作周波数で前記１次ユニットを運転するステップと，
位置と動作周波数との組合せごとに，前記２次ユニットの等価直列抵抗値を測定するステップと，
前記２次ユニットの前記等価直列抵抗値に基づいて，２次ユニット渦電流電力損失を推定するための渦電流電力損失係数を決定するステップと，
を含む請求項１に記載の方法。
【請求項１６】
前記２次ユニットの前記等価直列抵抗値を測定する前記ステップは，
前記１次ユニットだけの等価直列抵抗値を測定するステップと，
前記誘導電力転送システムの等価直列抵抗値を測定するステップと，
前記２次ユニットの前記等価直列抵抗値を測定するために，前記誘導電力転送システムの前記等価直列抵抗値から，前記１次ユニットの前記等価直列抵抗値を減算するステップと，
を含む，請求項１５に記載の方法。
【請求項１７】
前記１次ユニットは１次ユニットシールドを含み，前記１次ユニットタンク回路は１次ユニットコイルを含み，前記２次ユニットは２次コイルと，２次シールドと，２次友好的寄生金属とを含む，請求項１５に記載の方法。
【請求項１８】
前記１次ユニットに対して複数の異なる位置に前記２次ユニットを配置するステップと，
複数の異なる動作周波数で前記１次ユニットを運転するステップと，
複数の異なる負荷を前記２次ユニットに接続するステップと，
位置と，動作周波数と，負荷との組合せごとに，前記２次ユニットの等価直列抵抗値を測定するステップと，
前記２次ユニットの前記等価直列抵抗値に基づいて，２次ユニット渦電流電力損失を推定するための渦電流電力損失係数を決定するステップと，
を含む請求項１に記載の方法。
【請求項１９】
電力使途説明を含む誘導電力転送システムを設計する方法であって，
１次側に非接触でエネルギを転送するためのタンク回路を用意するステップと，
前記非接触のエネルギを受電するための２次コイルと，電気通信における負荷とを含む２次側に負荷を用意するステップと，
前記１次側と前記２次側との距離を変化させるステップと，
前記２次側の前記負荷を変化させるステップと，
前記１次側と前記２次側との複数の距離ごと，及び複数の負荷ごとに，前記非接触でのエネルギの転送中に前記タンク回路における前記１次側の少なくとも一つの回路パラメータを測定するステップと，
前記１次側と前記２次側との複数の距離ごと，及び前記２次側の複数の負荷ごとに，前記非接触でのエネルギの転送中に前記２次側の少なくとも一つの回路パラメータを測定するステップと，
複数の係数と，前記タンク回路における前記１次側の少なくとも一つの回路パラメータと，前記２次側の少なくとも一つの回路パラメータと，に基づいて，前記非接触でのエネルギの転送中に前記システムにおける電力消費を説明するための公式を選択するステップと，
前記２次側の前記測定された回路パラメータと，前記１次側の前記測定された回路パラメータとを用いて，前記係数を決定するステップと，
動作中に説明できない損失が存在するか否かを予測する際に用いるために，前記誘導電力転送システム内に前記係数を記憶させるステップと，
を含む方法。
【請求項２０】
前記公式の前記係数を決定する前記ステップは，前記システムにおける部品を物理的に観察することによって，電力損失の種別に基づいて前記係数を決定するステップを含む，請求項１９に記載の方法。
【請求項２１】
前記公式の前記係数を決定する前記ステップは，曲線当てはめによって前記係数を決定するステップを含む，請求項１９に記載の方法。
【請求項２２】
前記曲線近似は多変量多項回帰を用いて行われる請求項２１に記載の方法。
【請求項２３】
１次ユニット内に１又は複数の係数を記憶するステップと，２次ユニット内に１又は複数の係数を記憶するステップとを含む請求項１９に記載の方法。
【請求項２４】
前記公式は，前記１次側における電力損失の推定値と，前記２次側における電力損失の推定値と，前記負荷が用いる電力の推定値とを含む，請求項１９に記載の方法。
【請求項２５】
前記公式は，前記１次側の回路パラメータと，前記２次側の回路パラメータとによる，前記誘導電力転送システムにおける電力損失の推定値を含む，請求項１９に記載の方法。
【請求項２６】
前記１次側の複数の動作周波数ごとに，前記非接触でのエネルギの転送中に前記２次側の少なくとも一つの回路パラメータを測定するステップと，前記非接触でのエネルギの転送中に前記タンク回路における前記１次側の少なくとも一つの回路パラメータを測定するステップと，を含む，請求項１９に記載の方法。
【請求項２７】
前記公式は，
１次側ヒステリシス電力損失と，
１次側渦電流電力損失と，
１次側電圧電力損失と，
１次側抵抗電力損失と，
２次側電力消費と，
の推定値を含む，請求項１９に記載の方法。
【請求項２８】
前記２次側電力消費は，
２次側渦電流電力損失と，
２次側電圧電力損失と，
２次側抵抗電力損失と，
を含む，請求項２７に記載の方法。
【請求項２９】
前記公式は，前記タンク回路における前記回路パラメータによる，２次側渦電流電力損失及び２次側ヒステリシス電力損失の推定値を含む，請求項２７に記載の方法。
【請求項３０】
前記タンク回路における前記回路パラメータは，前記タンク回路における電流及び電圧のうち少なくとも一つを含む，請求項１９に記載の方法。
【請求項３１】
前記１次側と前記２次側との間の距離ごとに，前記２次側の等価直列抵抗値を測定するステップと，
前記等価直列抵抗値に基づいて，渦電流電力損失係数を決定するステップと，
を含む請求項１９に記載の方法。
【請求項３２】
前記１次側と前記２次側との間の距離及び動作周波数ごとに，前記２次ユニットの等価直列抵抗値を測定するステップと，
前記等価直列抵抗値に基づいて，渦電流電力損失係数を決定するステップと，
を含む請求項２６に記載の方法。
【請求項３３】
タンク回路及びスイッチング回路を備える１次ユニットであって，該１次ユニットとは別の少なくとも一つの２次ユニットに電力を転送するための電磁界を発生することができ，該２次ユニットが前記１次ユニットの近傍にあるとき，前記電磁界と結合して，前記１次ユニットと前記２次ユニットとの間の直接導電性接触なしに，前記２次ユニットが前記１次ユニットから電力を受電するようになっており，
前記１次ユニットにおける入力電力の特性を測定する感知器と，
前記１次ユニットの前記タンク回路における電力の特性を測定する感知器と，
前記少なくとも一つの２次ユニットから情報を受信する受信器と，
コントローラであって，
少なくとも前記１次ユニットの前記タンク回路における電力の前記測定された特性によって，誘導電力転送システムにおける電力消費を推定するステップと，
前記１次ユニットの近傍に許容できない量の寄生金属があることを判定するために，前記１次ユニットにおける入力電力の前記測定された特性と，前記少なくとも一つの２次ユニットからの前記情報と，前記推定された電力消費とを比較するステップと，
前記１次ユニットの近傍に前記許容できない量の寄生金属があることが判定されたことに応答して，前記１次ユニットからの誘導電力転送を制限又は停止するステップと，
を実行するようにプログラムされたコントローラと，
を備える１次ユニット。
【請求項３４】
前記電力消費を推定するステップは，前記誘導電力転送システムにおける電力損失を推定するステップ，前記２次ユニットの負荷が利用する電力を推定するステップ，又はそれらの組合せ，のうち少なくとも一つを含む，請求項３３に記載の１次ユニット。
【請求項３５】
前記電力消費を推定するステップは，前記１次ユニットの前記タンク回路における電力の前記測定された特性と，前記２次ユニットからの前記情報とによって，前記誘導電力転送システムにおける電力損失を推定するステップを含む，請求項３３に記載の１次ユニット。
【請求項３６】
前記スイッチング回路は，動作中に種々の異なる動作周波数間を変化する動作周波数で動作し，前記電力消費を推定するステップは，前記１次ユニットの前記タンク回路における電力の前記測定された特性と，前記２次ユニットからの前記情報と，前記スイッチング回路の前記動作周波数とによって，前記誘導電力転送システムにおける電力損失を推定するステップを含む，請求項３３に記載の１次ユニット。
【請求項３７】
前記電力消費を推定するステップは，
１次ユニットヒステリシス電力損失を推定するステップと，
１次ユニット渦電流電力損失を推定するステップと，
１次ユニット電圧電力損失を推定するステップと，
１次ユニット抵抗電力損失を推定するステップと，
２次ユニット電力消費を推定するステップと，
を含む，請求項３３に記載の１次ユニット。
【請求項３８】
前記２次ユニット電力消費を推定するステップは，
２次ユニット渦電流電力損失を推定するステップと，
２次ユニット電圧電力損失を推定するステップと，
２次ユニット抵抗電力損失を推定するステップと，
を含む，請求項３７に記載の１次ユニット。
【請求項３９】
２次ユニット電力損失を推定するステップは，
２次ユニット渦電流電力損失を推定するステップと，
前記１次ユニットの前記タンク回路における電力の前記測定された特性によって，２次ユニットヒステリシスを推定するステップと，
を含む，請求項３７に記載の１次ユニット。
【請求項４０】
前記少なくとも一つの２次ユニットからの前記情報は，２次ユニットＩＤ，前記２次ユニットにおける電力の特性の測定値，前記２次ユニットにおける電力損失の推定値，１又は複数の電力損失係数，又はそれらの組合せを含む，請求項３３に記載の１次ユニット。
【請求項４１】
前記少なくとも一つの２次ユニットからの前記情報は，前記１次ユニットにおける入力電力の前記測定された特性と，前記少なくとも一つの２次ユニットからの前記情報と，前記推定された電力消費とを比較する前記ステップを同期させる同期情報を含む，請求項３３に記載の１次ユニット。
【請求項４２】
前記入力電力の特性は，前記スイッチング回路及び前記タンク回路の前の，前記１次ユニットにおける電流又は電圧を含む，請求項３３に記載の１次ユニット。
【請求項４３】
前記タンク回路における電力の前記特性は，前記タンク回路における電流又は電圧を含む，請求項３３に記載の１次ユニット。
【請求項４４】
前記１次ユニットの近傍に許容できない量の寄生金属があることを判定するために，前記１次ユニットにおける入力電力の前記測定された特性と，前記少なくとも一つの２次ユニットからの前記情報と，前記推定された電力消費とを比較する前記ステップは，
前記１次ユニットにおける入力電力の前記特性と，前記少なくとも一つの２次ユニットからの前記情報とに基づいて合計電力消費を計算するステップと，
前記計算された合計電力消費と，前記推定された電力消費との差を検出することによって，前記１次ユニットの近傍に異物があると判定するステップと，
を含む，請求項３３に記載の１次ユニット。
【請求項４５】
前記計算された合計電力消費と，前記推定された電力消費との差がしきい値を超えたとき，前記１次ユニットの近傍に許容できない量の寄生金属があると判定するステップを含む請求項４４に記載の１次ユニット。